(57)【要約】【構成】複数のレジャーホテル内の空き室入力装置を用いて当該ホテルの空き室数データを空き室管理者のパソコンサーバーへインターネットを介して伝送し、このパソコンサーバーにおいて、伝送された各ホテルの空き室数データに基づいて空き室の多い順にこれらのホテルを並べ替えて各ホテルの空き室情報をデータベース化し、この空き室情報をパソコンサーバー上に作成したホームページサイトに表示して利用者の携帯端末よりインターネットを介して閲覧できるようにしたレジャーホテル空き室情報検索システムである。【効果】利用者は、パソコンサーバー上に作成したホームページサイトを介して、空き室の多い順に並べられた各ホテルの空き室情報を閲覧することができる。空き室の有無や数に基づいて直接的にホテルを選ぶことができるため、利用者にとって空き室のあるホテルを簡易に見つけるできる結果、ホテルを決めるにあたって極めて便利である。【選択図】  図１
2006215835.tif 000002
【特許請求の範囲】
【請求項１】
複数のレジャーホテル内に空き室入力装置を設置し、この空き室入力装置を用いて当該ホテルの空き室数データを空き室管理者のパソコンサーバーへインターネットを介して伝送し、このパソコンサーバーにおいて伝送された各ホテルの空き室数データに基づいて空き室の多い順にこれらのホテルを並べ替えて各ホテルの空き室情報をデータベース化し、この空き室情報を前記パソコンサーバー上に作成したホームページサイトに表示して利用者の携帯端末よりインターネットを介して閲覧できるようにしたことを特徴とするレジャーホテル空き室情報検索システム。
【請求項２】
請求項１のレジャーホテル空き室情報検索システムにおいて、前記空き室情報を検索する際に地域を限定することができることを特徴とするホテル空き室情報検索システム。
【請求項３】
請求項１のレジャーホテル空き室情報検索システムにおいて、前記レジャーホテルは前記空き室管理者に対して登録制としたことを特徴とするレジャーホテル空き室情報検索システム。
【請求項４】
請求項１のレジャーホテル空き室情報検索システムにおいて、前記空き室入力装置は前記空き室数以外に前記レジャーホテルの個別情報をも伝送可能であるとともに、前記ホームページサイトにおける空き室情報に基づいていずれかのホテルを選択した場合、そのホテルの個別情報を閲覧可能としたことを特徴とするレジャーホテル空き室情報検索システム。
【請求項５】
請求項１のレジャーホテル空き室情報検索システムにおいて、前記ホームページサイトにおける空き室情報に基づいていずれかのホテルを選択した場合、カーナビゲーションシステムに連動してそのホテルの個別情報を閲覧可能としたことを特徴とするレジャーホテル空き室情報検索システム。
【発明の詳細な説明】
【技術分野】
【０００１】
この発明はレジャーホテル空き室情報検索システムに関し、モーテル等のレジャーホテルを利用しようとする者が、携帯端末を関して、空き室の多いレジャーホテルを探す場合に使用されるものである。
【背景技術】
【０００２】
従来におけるこの種の検索システムにあっては、各レジャーホテルがその空き室情報を他の個別情報とともにパソコンサーバーへインターネットを介して伝送し、これらの情報をこのパソコンサーバー上のホームページに表示する。そして、利用者は持参している携帯端末よりインターネットを介して、これらの情報を閲覧することにより滞在を希望している地域の空き室を検索している。
【０００３】
【特許文献１】特開平６−１２７４４６号公報
【特許文献２】特開２０００−１２８０５６号公報
【発明の開示】
【発明が解決しようとする課題】
【０００４】
しかしながら、かかる従来の検索システムにあっては、ホテルの検索に基づいてそのホテルの空き室等個別情報を入手するものであるため、利用者にとっては、空き室の有無や空き室数を調べる場合に、まず、各ホテルについて検索しなければならず、極めて手間がかかるという不都合を有した。
【０００５】
この発明の課題はこれらの不都合を解消することである。
【課題を解決するための手段】
【０００６】
前記課題を達成するために、この発明に係るレジャーホテル空き室情報検索システムにおいては、複数のレジャーホテル内に空き室入力装置を設置し、この空き室入力装置を用いて当該ホテルの空き室数データを空き室管理者のパソコンサーバーへインターネットを介して伝送し、このパソコンサーバーにおいて、伝送された各ホテルの空き室数データに基づいて空き室の多い順にこれらのホテルを並べ替えて各ホテルの空き室情報をデータベース化し、この空き室情報を前記パソコンサーバー上に作成したホームページサイトに表示して利用者の携帯端末よりインターネットを介して閲覧できるようにしたものである。    
【０００７】
なお、前記空き室情報を検索する際に地域を限定することができる。
【０００８】
また、前記レジャーホテルは前記空き室管理者に対して登録制とすることもできる。
【０００９】
また、前記空き室入力装置は前記空き室数以外に前記レジャーホテルの個別情報をも伝送可能であるとともに、前記ホームページサイトにおける空き室情報に基づいていずれかのホテルを選択した場合、そのホテルの個別情報を閲覧可能とすることもできる。
【００１０】
また、前記ホームページサイトにおける空き室情報に基づいていずれかのホテルを選択した場合、カーナビゲーションシステムに連動してそのホテルの個別情報を閲覧可能とすることもできる。
【発明の効果】
【００１１】
この発明に係るこの発明に係るレジャーホテル空き室情報検索システムは上記のように構成されているため、利用者は、パソコンサーバー上に作成したホームページサイトを介して、空き室の多い順に並べられた各ホテルの空き室情報を閲覧することができるものである。
【００１２】
よって、このレジャーホテル空き室情報検索システムを使用すれば、空き室の有無や数に基づいて直接的にホテルを選ぶことができるため、利用者にとって空き室のあるホテルを簡易に見つけるできる結果、ホテルを決めるにあたって極めて便利である。
【００１３】
なお、前記空き室情報を検索する際に地域を限定することができるようにすれば、一定の範囲で各ホテルの空き室情報を知ることができるため、ホテルを決めるにあたって更に便利になる。
【００１４】
また、前記レジャーホテルは前記空き室管理者に対して登録制とすれば、各ホテルと管理者との関係がしっかりしたものとなるため、提供される情報も安定したものとなり、この結果、利用者にとって信頼性の高い情報を得ることができる。
【００１５】
また、前記空き室入力装置は前記空き室数以外に前記レジャーホテルの個別情報をも伝送可能であるとともに、前記ホームページサイトにおける空き室情報に基づいていずれかのホテルを選択した場合、そのホテルの個別情報を閲覧可能とすれば、利用者はホームページサイトを介して、そのホテルの個別情報をも閲覧することができるため、目的とするホテルを適正に選択することができるものである。
【００１６】
また、前記ホームページサイトにおける空き室情報に基づいていずれかのホテルを選択した場合、カーナビゲーションシステムに連動してそのホテルの個別情報を閲覧可能とすれば、カーナビゲーションシステムに連動させることによって、そのホテルの位置を見つけやすいものである。
【発明を実施するための最良の形態】
【００１７】
本発明は、複数のレジャーホテルから伝送された各ホテルの空き室数のデータをもとにして、これらのホテルを空き室の多い順に並べ替えて各ホテルの空き室情報をデータベース化し、この情報をこのパソコンサーバー上に作成したホームページサイトに表示して、利用者の携帯端末よりインターネットを介して閲覧できるようにしたことに最も主要な特徴を有する。
【実施例１】
【００１８】
以下、この発明の実施例を説明する。
図１はこの発明に係るレジャーホテル空き室情報検索システムのシステム構成図である。
【００１９】
図において、１はレジャーホテルのパソコン、２は管理者（空き室管理者）側のパソコンサーバ、３は利用者の携帯端末である。前記パソコン１および前記携帯端末３はインターネット４を介して前記パソコンサーバ２に繋がれている。
【００２０】
前記パソコン１は空き室入力装置として機能し、インターネット４を介して各情報（空き室データ）を前記パソコンサーバ２へ伝送する。なお、パソコン１の代わりに携帯端末を使用することもできる。
【００２１】
このシステムを利用しようとするホテルはまず、管理者に対して会員登録の手続きをする。この際に前記パソコン１を介して所定の個別情報を管理者側のパソコンサーバ２へ伝送する。この個別情報は当該ホテルの個別情報としてデータベース21化され保存される。この情報の一部又は全部はこのパソコンサーバ２上に作成したホームページサイト５に「個別情報51」として表示することができる。
【００２２】
また、別途用意した地図のデータベース６と連動させてそのホテルの所在を地図を用いた位置情報としてホームページサイト５に表示させることもできる。なお、この登録内容は変更することもできる。
【００２３】
ホテルは、会員登録後に、前記パソコン２を介して前記パソコンサーバ２へ「空き室データ」を伝送することができる。ここに、「空き室データ」とは、「空き室の有無」，「空き室の数」などである。
【００２４】
各ホテルの「空き室データ」が伝送されると、前記パソコンサーバ２では、そのデータをもとにして、空き室の多い順にホテルを並べ替え、各ホテルの空き室情報としてホテルの一覧表をデータベース22化する、そして、この情報をこのパソコンサーバ２上に作成したホームページサイト５に「客室情報52」として表示することができる。
【００２５】
利用者がこのシステムを使用する場合、その携帯端末３をインターネット４を介してパソコンサーバ２上に作成されたホームページサイト５に繋ぐ。すると、そのサイト５に表示された「空き室の多い順に並べられたホテルの一覧表52」を閲覧することができる。この際に、そのホテルの個別データ（例えば、部屋の広さ，内装等の説明）51を同時に閲覧することもできる。
【００２６】
なお、利用者はこれらの情報51,52 を閲覧する際に、「地域限定31」をすることもできる。
【００２７】
また、利用者が、携帯端末３を介して、前記ホームページサイト５における「空き室情報52」に基づいていずれかのホテルを選択した場合、カーナビゲーションシステム７に連動してそのホテルの個別情報51を閲覧することもできる。また、この場合、カーナビゲーションシステム７を直接携帯端末の代わりに使用すれば、カーナビゲーションシステム７によってそのホテルの個別情報51を迅速に閲覧することができる。
【産業上の利用可能性】
【００２８】
モーテル等のレジャーホテルを利用しようとする者が、携帯端末を関して、空き室の多いレジャーホテルを探す場合に利用することができる。
【図面の簡単な説明】
【００２９】
【図１】図１はこの発明に係るレジャーホテル空き室情報検索システムのシステム構成図である。
【符号の説明】
【００３０】
１  …  レジャーホテルのパソコン
２  …  管理者のパソコンサーバ
21  …  ホテルの個別情報のデータベース
22  …  ホテルの空き室情報としてホテルの一覧表のデータベース
３  …  利用者の携帯端末
31  …  地域限定の指示
４  …  インターネット
５  …  ホームページサイト
51  …  個別情報
52  …  客室情報（空き室の多い順に並べられたホテルの一覧表）
６  …  地図のデータベース
【図１】
2006215835.tif 000003